(57)【要約】【課題】手書きによるメモが大量に書き込まれて途中のページで電源部の電力がなくなってしまう不都合を解消し、最終ページに至るまで手書き入力を行うことができる表示装置及び消費電力制御方法を提供する。【解決手段】ページの切り替えにより次の手書き未入力のページが表示手段１１に表示される前にあるいは表示された後に、該ページに割り当てられる手書き用消費電力量の割当値が算出されるとともに、前記次の手書き未入力のページが表示手段１１に表示される前にあるいは表示された後に、各ページの手書き量に応じた消費済み電力量に基づいて、該次のページについての手書き量に応じた消費電力量の推定値が取得される。そして、取得された前記次のページについての前記推定値が前記割当値を上回ったかどうかが判断され、上回ったと判断された場合には、消費電力量の抑制制御が行われる。【選択図】  図３
2014191499.tif 000002
【特許請求の範囲】
【請求項１】
電源部と、
複数ページからなる文書データにおけるいずれかのページのデータの表示状態を、前記電源手段の電力を消費することなく保持すると共に、前記電源部の電力を消費して表示されるページの切り替えを行う表示手段と、
前記電源部の電力を消費して、ユーザーにより前記表示手段の画面に手書きされたデータを入力し表示させるための手書き入力手段と、
前記表示手段に表示される前記文書データの各ページについて、前記手書き入力手段により手書きされたデータの入力表示がなされたときは、手書き量に応じた消費済み電力量を測定する測定手段と、
ページの切り替えにより次の手書き未入力のページが前記表示手段に表示される前にあるいは表示された後に、該ページに割り当てられる手書き用消費電力量の割当値を算出する算出手段と、
前記次の手書き未入力のページが前記表示手段に表示される前にあるいは表示された後に、前記測定手段により測定された各ページの手書き量に応じた消費済み電力量の測定値に基づいて、該次のページについての手書き量に応じた消費電力量の推定値を取得する推定値取得手段と、
前記推定値取得手段により取得された前記次のページについての手書き量に応じた消費電力量の推定値が、前記算出手段により算出された該ページについての前記手書き用消費電力量の割当値を上回っているかどうかを判断する判断手段と、
前記判断手段により前記推定値が前記割当値を上回っていると判断された場合に、消費電力量の抑制制御を行う制御手段と、
を備えたことを特徴とする表示装置。
【請求項２】
前記推定値取得手段は、手書きされた各ページについて前記測定手段により測定された前記消費済み電力量の平均値、中央値、最頻値のいずれかを、前記推定値として取得する請求項１に記載の表示装置。
【請求項３】
前記算出手段は、前記次のページの前のページについての手書き用消費電力量の割当値と、前記測定手段により測定された前記前のページの消費済み電力量との差を、前記文書データにおける残りの手書き未入力のページの数で割って商を求め、この商を前記前のページについての前記割当値に加算することにより、前記次のページについての手書き用消費電力量の割当値とする請求項１または２に記載の表示装置。
【請求項４】
前記消費電力量の抑制制御は、手書きされたデータの解像度を低下させて前記表示手段に表示する制御である請求項１〜３のいずれかに記載の表示装置。
【請求項５】
前記消費電力量の抑制制御は、手書きされたデータを前記表示手段に表示するときの画面更新頻度を低下させる制御である請求項１〜３のいずれかに記載の表示装置。
【請求項６】
手書きされたデータが前記表示装置にカラーにて表示される場合に、前記消費電力量の抑制制御は、手書きされたデータを前記表示手段にモノクロにて表示する制御である請求項１〜３のいずれかに記載の表示装置。
【請求項７】
前記制御手段は、前記消費電力量の抑制制御を行う際に、前記抑制制御の実施許否の問い合わせを前記表示手段に表示させる請求項１〜６のいずれかに記載の表示装置。
【請求項８】
前記制御手段は、消費電力量の抑制制御がなされている状態で、消費電力量の抑制制御が解除される手書き量の範囲をユーザーに認識させるための表示を前記表示手段に表示させる請求項１〜７のいずれかに記載の表示装置。
【請求項９】
前記制御手段は、消費電力量の抑制制御がなされていない状態で、消費電力量の抑制制御が開始される手書き量の範囲をユーザーに認識させるための表示を前記表示手段に表示させる請求項１〜７のいずれかに記載の表示装置。
【請求項１０】
電源部と、
複数ページからなる文書データにおけるいずれかのページのデータの表示状態を、前記電源手段の電力を消費することなく保持すると共に、前記電源部の電力を消費して表示されるページの切り替えを行う表示手段と、
前記電源部の電力を消費して、ユーザーにより前記表示手段の画面に手書きされたデータを入力し表示させるための手書き入力手段と、
を備えた表示装置で実施される消費電力制御方法であって、
前記表示手段に表示される前記文書データの各ページについて、前記手書き入力手段により手書きされたデータの入力表示がなされたときは、手書き量に応じた消費済み電力量を測定する測定ステップと、
ページの切り替えにより次の手書き未入力のページが前記表示手段に表示される前にあるいは表示された後に、該ページに割り当てられる手書き用消費電力量の割当値を算出する算出ステップと、
前記次の手書き未入力のページが前記表示手段に表示される前にあるいは表示された後に、前記測定ステップにおいて測定された各ページの手書き量に応じた消費済み電力量に基づいて、該次のページについての手書き量に応じた消費電力量の推定値を取得する推定値取得ステップと、
前記推定値取得ステップにおいて取得された前記次のページについての手書き量に応じた消費電力量の推定値が、前記算出ステップにおいて算出された該ページについての前記手書き用消費電力量の割当値を上回っているかどうかを判断する判断ステップと、
前記判断ステップにおいて前記推定値が前記割当値を上回っていると判断された場合に、消費電力量の抑制制御を行う制御ステップと、
を備えたことを特徴とする消費電力制御方法。
【請求項１１】
電源部と、
複数ページからなる文書データにおけるいずれかのページのデータの表示状態を、前記電源手段の電力を消費することなく保持すると共に、前記電源部の電力を消費して表示されるページの切り替えを行う表示手段と、
前記電源部の電力を消費して、ユーザーにより前記表示手段の画面に手書きされたデータを入力し表示させるための手書き入力手段と、
を備えた表示装置のコンピュータに、
前記表示手段に表示される前記文書データの各ページについて、前記手書き入力手段により手書きされたデータの入力表示がなされたときは、手書き量に応じた消費済み電力量を測定する測定ステップと、
ページの切り替えにより次の手書き未入力のページが前記表示手段に表示される前にあるいは表示された後に、該ページに割り当てられる手書き用消費電力量の割当値を算出する算出ステップと、
前記次の手書き未入力のページが前記表示手段に表示される前にあるいは表示された後に、前記測定ステップにおいて測定された各ページの手書き量に応じた消費済み電力量に基づいて、該次のページについての手書き量に応じた消費電力量の推定値を取得する推定値取得ステップと、
前記推定値取得ステップにおいて取得された前記次のページについての手書き量に応じた消費電力量の推定値が、前記算出ステップにおいて算出された該ページについての前記手書き用消費電力量の割当値を上回っているかどうかを判断する判断ステップと、
前記判断ステップにおいて前記推定値が前記割当値を上回っていると判断された場合に、消費電力量の抑制制御を行う制御ステップと、
を実行させるための消費電力制御プログラム。
【発明の詳細な説明】
【技術分野】
【０００１】
この発明は、電子ペーパー、タブレット端末等の表示装置、該表示装置で実施される消費電力制御方法及び消費電力制御プログラムに関する。
【背景技術】
【０００２】
資料等のデータを表示する表示装置として、内蔵電源の電力を消費することなく表示状態を維持することが可能であるとともに、表示画面にユーザーが手書きでメモを書き込むことが可能な例えば電子ペーパーやタブレット端末等が用いられている。
【０００３】
しかし、このような表示装置では、表示データの書き換えを行うときには電力が消費されるため、表示されるページが切り替わる度に、あるいはメモが書き込まれる度に、電力が消費される。特に、打ち合わせやプレゼンテーションを行っている時に、後で質問するために資料上に質問内容等をメモ書きしておくことがあるが、表示装置の電源部の電力が途中でなくなってしまうと、メモ書きを行うことができなくなってしまい不便である。
【０００４】
また、電力がなくなる前に充電を促すメッセージを表示する表示装置も存在するが、すぐには充電できない場合には、同様の問題が発生する。
【０００５】
このような問題が発生する一因として、電子ペーパー等が低消費電力媒体として認知されていることから、残電力が少ない状態であってもユーザーは残電力を意識することなく大量にメモを書き込んでしまい、消費電力が多くなってしまうことが考えられる。
【０００６】
なお、特許文献１には、画像処理装置と無線で通信し、電池により駆動されるデータ処理装置であって、電池の残量が所定の残量よりも少ない場合に、画像処理装置で処理される可能性のある画像デーを前記画像処理装置に送信するように制御するデータ処理装置が開示されている。
【先行技術文献】
【特許文献】
【０００７】
【特許文献１】特開２０１１−５９７５０号公報
【発明の概要】
【発明が解決しようとする課題】
【０００８】
しかしながら、特許文献１の技術では、電池の残量が所定の残量よりも少なくなったときに所定の処理が行われるものの、途中で電源部の電力がなくなることを想定した処理ではなく、このため、途中で電力がなくなってしまい処理が中断してしまうおそれがあった。
【０００９】
このため、特許文献１に記載の技術によっては、手書きによるメモが大量に書き込まれて途中のページで電源部の電力がなくなってしまい、以後はメモ書きを行うことができなくなるという問題を解決することはできなかった。
【００１０】
この発明は、このような技術的背景に鑑みてなされたものであって、手書きによるメモが大量に書き込まれて途中のページで電源部の電力がなくなってしまう不都合を解消し、最終ページに至るまで手書き入力を行うことができる表示装置及び消費電力制御方法を提供し、さらには前記消費電力制御方法を表示装置のコンピュータに実行させるための消費電力制御プログラムを提供することを課題とする。
【課題を解決するための手段】
【００１１】
上記課題は、以下の手段によって解決される。
（１）電源部と、複数ページからなる文書データにおけるいずれかのページのデータの表示状態を、前記電源手段の電力を消費することなく保持すると共に、前記電源部の電力を消費して表示されるページの切り替えを行う表示手段と、前記電源部の電力を消費して、ユーザーにより前記表示手段の画面に手書きされたデータを入力し表示させるための手書き入力手段と、前記表示手段に表示される前記文書データの各ページについて、前記手書き入力手段により手書きされたデータの入力表示がなされたときは、手書き量に応じた消費済み電力量を測定する測定手段と、ページの切り替えにより次の手書き未入力のページが前記表示手段に表示される前にあるいは表示された後に、該ページに割り当てられる手書き用消費電力量の割当値を算出する算出手段と、前記次の手書き未入力のページが前記表示手段に表示される前にあるいは表示された後に、前記測定手段により測定された各ページの手書き量に応じた消費済み電力量の測定値に基づいて、該次のページについての手書き量に応じた消費電力量の推定値を取得する推定値取得手段と、前記推定値取得手段により取得された前記次のページについての手書き量に応じた消費電力量の推定値が、前記算出手段により算出された該ページについての前記手書き用消費電力量の割当値を上回っているかどうかを判断する判断手段と、前記判断手段により前記推定値が前記割当値を上回っていると判断された場合に、消費電力量の抑制制御を行う制御手段と、を備えたことを特徴とする表示装置。
（２）前記推定値取得手段は、手書きされた各ページについて前記測定手段により測定された前記消費済み電力量の平均値、中央値、最頻値のいずれかを、前記推定値として取得する前項１に記載の表示装置。
（３）前記算出手段は、前記次のページの前のページについての手書き用消費電力量の割当値と、前記測定手段により測定された前記前のページの消費済み電力量との差を、前記文書データにおける残りの手書き未入力のページの数で割って商を求め、この商を前記前のページについての前記割当値に加算することにより、前記次のページについての手書き用消費電力量の割当値とする前項１または２に記載の表示装置。
（４）前記消費電力量の抑制制御は、手書きされたデータの解像度を低下させて前記表示手段に表示する制御である前項１〜３のいずれかに記載の表示装置。
（５）前記消費電力量の抑制制御は、手書きされたデータを前記表示手段に表示するときの画面更新頻度を低下させる制御である前項１〜３のいずれかに記載の表示装置。
（６）手書きされたデータが前記表示装置にカラーにて表示される場合に、前記消費電力量の抑制制御は、手書きされたデータを前記表示手段にモノクロにて表示する制御である前項１〜３のいずれかに記載の表示装置。
（７）前記制御手段は、前記消費電力量の抑制制御を行う際に、前記抑制制御の実施許否の問い合わせを前記表示手段に表示させる前項１〜６のいずれかに記載の表示装置。
（８）前記制御手段は、消費電力量の抑制制御がなされている状態で、消費電力量の抑制制御が解除される手書き量の範囲をユーザーに認識させるための表示を前記表示手段に表示させる前項１〜７のいずれかに記載の表示装置。
（９）前記制御手段は、消費電力量の抑制制御がなされていない状態で、消費電力量の抑制制御が開始される手書き量の範囲をユーザーに認識させるための表示を前記表示手段に表示させる前項１〜７のいずれかに記載の表示装置。
（１０）電源部と、複数ページからなる文書データにおけるいずれかのページのデータの表示状態を、前記電源手段の電力を消費することなく保持すると共に、前記電源部の電力を消費して表示されるページの切り替えを行う表示手段と、前記電源部の電力を消費して、ユーザーにより前記表示手段の画面に手書きされたデータを入力し表示させるための手書き入力手段と、を備えた表示装置で実施される消費電力制御方法であって、前記表示手段に表示される前記文書データの各ページについて、前記手書き入力手段により手書きされたデータの入力表示がなされたときは、手書き量に応じた消費済み電力量を測定する測定ステップと、ページの切り替えにより次の手書き未入力のページが前記表示手段に表示される前にあるいは表示された後に、該ページに割り当てられる手書き用消費電力量の割当値を算出する算出ステップと、前記次の手書き未入力のページが前記表示手段に表示される前にあるいは表示された後に、前記測定ステップにおいて測定された各ページの手書き量に応じた消費済み電力量に基づいて、該次のページについての手書き量に応じた消費電力量の推定値を取得する推定値取得ステップと、前記推定値取得ステップにおいて取得された前記次のページについての手書き量に応じた消費電力量の推定値が、前記算出ステップにおいて算出された該ページについての前記手書き用消費電力量の割当値を上回っているかどうかを判断する判断ステップと、前記判断ステップにおいて前記推定値が前記割当値を上回っていると判断された場合に、消費電力量の抑制制御を行う制御ステップと、を備えたことを特徴とする消費電力制御方法。
（１１）電源部と、複数ページからなる文書データにおけるいずれかのページのデータの表示状態を、前記電源手段の電力を消費することなく保持すると共に、前記電源部の電力を消費して表示されるページの切り替えを行う表示手段と、前記電源部の電力を消費して、ユーザーにより前記表示手段の画面に手書きされたデータを入力し表示させるための手書き入力手段と、を備えた表示装置のコンピュータに、前記表示手段に表示される前記文書データの各ページについて、前記手書き入力手段により手書きされたデータの入力表示がなされたときは、手書き量に応じた消費済み電力量を測定する測定ステップと、ページの切り替えにより次の手書き未入力のページが前記表示手段に表示される前にあるいは表示された後に、該ページに割り当てられる手書き用消費電力量の割当値を算出する算出ステップと、前記次の手書き未入力のページが前記表示手段に表示される前にあるいは表示された後に、前記測定ステップにおいて測定された各ページの手書き量に応じた消費済み電力量に基づいて、該次のページについての手書き量に応じた消費電力量の推定値を取得する推定値取得ステップと、前記推定値取得ステップにおいて取得された前記次のページについての手書き量に応じた消費電力量の推定値が、前記算出ステップにおいて算出された該ページについての前記手書き用消費電力量の割当値を上回っているかどうかを判断する判断ステップと、前記判断ステップにおいて前記推定値が前記割当値を上回っていると判断された場合に、消費電力量の抑制制御を行う制御ステップと、を実行させるための消費電力制御プログラム。
【発明の効果】
【００１２】
前項（１）に記載の発明によれば、ページの切り替えにより次の手書き未入力のページが前記表示手段に表示される前にあるいは表示された後に、該ページに割り当てられる手書き用消費電力量の割当値が算出されるとともに、前記次の手書き未入力のページが前記表示手段に表示される前にあるいは表示された後に、各ページの手書き量に応じた消費済み電力量に基づいて、該次のページについての手書き量に応じた消費電力量の推定値が取得される。そして、取得された前記次のページについての前記推定値が前記割当値を上回ったかどうかが判断され、上回ったと判断された場合には、消費電力量の抑制制御が行われる。
【００１３】
つまり、手書き量が多くなったときは推定値も大きくなるため、推定値が手書き用消費電力量の割当値を上回ることになり、当該ページに関して消費電力量が抑制される。そして、このような処理が手書き未入力の各ページ毎に繰り返されるから、手書きによるメモが大量に書き込まれて途中のページで電源手段の電力がなくなってしまう事態を回避でき、手書き未入力の最終ページに至るまで手書き入力の可能性を確保することができる。
【００１４】
前項（２）に記載の発明によれば、手書きされた各ページの手書き量に応じた消費済み電力量の平均値、中央値、最頻値のいずれかを、推定値として容易に取得することができる。
【００１５】
前項（３）に記載の発明によれば、前記次のページの前のページについての手書き用消費電力量の割当値と、測定された前記前のページの消費済み電力量との差を、前記文書データにおける残りの手書き未入力のページの数で割って商を求め、この商を該ページについての前記割当値に加算することにより、前記次のページについての手書き用消費電力量の割当値とすることで、次のページについての手書き用消費電力量の割当値を容易に求めることができる。
【００１６】
前項（４）に記載の発明によれば、手書きされたデータの解像度を低下させて表示手段に表示することにより、消費電力量を抑制することができる。
【００１７】
前項（５）に記載の発明によれば、手書きされたデータを表示手段に表示するときの画面更新頻度を低下させることにより、消費電力量を抑制することができる。
【００１８】
前項（６）に記載の発明によれば、手書きされたデータを表示手段にモノクロにて表示することにより、消費電力量を抑制することができる。
【００１９】
前項（７）に記載の発明によれば、消費電力量の抑制制御を行う際に、抑制制御の実施許否の問い合わせが表示手段に表示されるから、ユーザの意思を尊重して、消費電力量の抑制制御を行うことができる。
【００２０】
前項（８）に記載の発明によれば、消費電力量の抑制制御がなされている状態で、ユーザーは、消費電力量の抑制制御が解除される手書き量の範囲を認識することができる。
【００２１】
前項（９）に記載の発明によれば、消費電力量の抑制制御がなされていない状態で、ユーザーは、消費電力量の抑制制御が開始される手書き量の範囲を認識することができる。
【００２２】
前項（１０）に記載の発明によれば、手書き量が多くなったときは消費電力量を抑制するから、手書きによるメモが大量に書き込まれて途中のページで電源手段の電力がなくなってしまう事態を回避でき、手書き未入力の最終ページに至るまで手書き入力の可能性を確保できる。
【００２３】
前項（１１）に記載の発明によれば、手書き量が多くなったときは消費電力量を抑制する処理を、表示装置のコンピュータに実行させることができる。
【図面の簡単な説明】
【００２４】
【図１】この発明の一実施形態に係る表示装置としての電子ペーパーの正面図である。
【図２】電子ペーパーの電気的な構成を示すブロック図である。
【図３】電子ペーパーにおいて実行される手書き入力に対する消費電力量の抑制処理を示すフローチャートである。
【図４】図３のステップＳ１で示した、電子ペーパーに表示する文書データの最初のページに割り当てる手書き用電力量の割当値を算出する処理のサブルーチンを示すフローチャートである。
【図５】図３のステップＳ１５で示した、次ページに対する手書き量用消費電力量の割当値算出処理を説明するための図である。
【図６】図３のステップＳ１５で示した、次ページに対する手書き量用消費電力量の割当値算出処理のサブルーチンを示すフローチャートである。
【図７】消費電力量の残量をどれだけ残せば、次ページ以降で消費電力量の抑制制御が行われないかを示すインジケータが、画面に表示されている状態の図である。
【図８】消費電力量の残量をどれだけ残せば、次ページ以降で消費電力量の抑制制御が解除されるかを示すインジケータが、画面に表示されている状態の図である。
【図９】次ページで消費電力量の抑制制御が解除される状態を説明するための図である。
【図１０】現在のページに対して手書きを行わないとしても、次ページで消費電力量の抑制制御が解除されないとき、どのページで消費電力量の抑制制御が解除されるかを、画面に表示する例を示す図である。
【図１１】図３のステップＳ１２で示した、インジケータ表示処理のサブルーチンを示すフローチャートである。
【発明を実施するための形態】
【００２５】
以下、この発明の実施形態を図面に基づいて説明する。
【００２６】
図１は、この発明の一実施形態に係る表示装置としての電子ペーパー１の正面図である。なお、表示装置は電子ペーパーに限定されることはなく、タブレット端末等であっても良い。
【００２７】
この電子ペーパー１は表示部１１を備えると共に、下端部にはページ戻しボタン１２と、実行／更新ボタン１３と、ページ送りボタン１４が配設されている。
【００２８】
表示部１１は、後述する電源部の電力を消費することなく文書データの表示状態を保持する一方、表示ページを切り替える際には電力を消費する公知の構成のものである。「電力を消費することなく」とは、電力を全く消費しない場合はもとより、電力消費がわずかである場合も許容する概念である。
【００２９】
この表示部１１の表面にはタッチパネル（図示せず）が設けられており、ユーザーはタッチパネルを手書きペン等の手書き入力装置２でなぞって文字や図形等のメモを文書データに手書き入力することができる構成となされている。また、手書き入力装置２により手書き入力したメモ等の表示は、ページ切り替えと同様に電力消費を伴って行われる。
【００３０】
ページ戻しボタン１２は、表示されているページを１つ前のページに切り替えるためのボタンであり、実行／更新ボタン１３は、例えば複数の文書データの中からいずれかの文書データの選択を実行したり、消費電力量の抑制制御を行う際に表示部１１に表示される前記制御の許否の問い合わせに対するユーザーの意思を決定するとき等に用いられ、ページ送りボタン１４は、表示されているページを次のページに切り替えるためのボタンである。
【００３１】
図２は、電子ペーパー１の電気的な構成を示すブロック図である。
【００３２】
電子ペーパー１は、上述した表示部１１の他、ＣＰＵ１０１、ＲＡＭ１０２、ＲＯＭ１０３、画像処理部１０４、外部記憶装置１０５、操作部１０６、電源管理部１０７、電源部１０８、ネットワークインターフェース（図面ではネットワークＩＦと記されている）１０９を備えている。
【００３３】
ＣＰＵ１０１は、ＲＯＭ１０３や外部記憶装置１０５などに保存されているプログラムをＲＡＭ１０３にロードして実行することにより、電子ペーパー１の全体を統括的に制御する。たとえば、ユーザー操作に基づいて、外部記憶装置１０５に記憶された複数の文書データのうちのいずれかの文書データの任意のページを表示部１１に表示させたり、表示ページを切り替えたり、画面に対して手書き入力装置２による手書きが行われたときは、それを取り込んで入力し表示させる等の制御を行う。
【００３４】
さらにこの実施形態では、表示部１１に表示される文書データの各ページについて、手書き入力装置２により手書きされたデータが入力され表示されたときは、手書き量に応じた消費済み電力量を測定したり、ページの切り替えにより次の手書き未入力のページが表示部１１に表示される前にあるいは表示された後に、該ページに割り当てられる手書き用消費電力量の割当値を算出したり、前記次の手書き未入力のページが表示部１１に表示される前にあるいは表示された後に、前記測定された各ページの手書き量に応じた消費済み電力量に基づいて、前記次のページについての手書き量に応じた消費電力量の推定値を取得する。さらには、取得した推定値が前記算出された該ページについての割当値を上回ったかどうかを判断し、推定値が割当値を上回ったと判断された場合に、消費電力量の抑制制御を実施する等の処理を行うが、詳細は後述する。
【００３５】
ＲＡＭ１０２は、ＣＰＵ１０１が動作用プログラムに従って動作する際の作業領域を提供する記憶媒体であり、ＲＯＭ１０３は、ＣＰＵ１０１が実行する動作プログラムやその他のデータを保存する記憶媒体である。
【００３６】
画像処理部１０４は、外部記憶装置１０５に記憶される画像データ等に所定の画像処理を実行する。
【００３７】
外部記憶装置１０５は例えばＳＤカード等の可搬性記録媒体等からなり、表示部１１に表示される１ページまたは複数ページからなる複数の文書データ等を保存する。
【００３８】
操作部１０６は前述したタッチパネルからなり、タッチパネルがタッチされた時のタッチ位置の座標の読み取り等を行う。
【００３９】
電源管理部１０７は電源部１０８の状態を管理するものであり、この実施形態ではＣＰＵ１０１の機能の一部として構成されている。なお、電源部１０８は電子ペーパー１の各部に電力を供給するものであり、充電可能に構成されている。また、表示部１１に表示されるページの切り替えや手書き入力装置２による画面へのメモ書きがあった場合等には、電源部１０８の電力が消費され、電源管理部１０７は消費された電力量を使用可能な電力量から差し引く等の処理を行う。
【００４０】
ネットワークインターフェース１０９は、電子ペーパー１と他の外部機器との間で、ネットワークを介してデータの送受信を行う通信手段として機能する。
【００４１】
次に、電子ペーパー１において実行される手書き入力に対する消費電力量の抑制処理を、図３のフローチャートを参照して説明する。
【００４２】
なお、図３のフローチャートに示される処理は、ＣＰＵ１０１がＲＯＭ１０３等の記録媒体に記録された動作プログラムに従って動作することにより実行される。
【００４３】
ステップＳ１では、電子ペーパー１に表示する文書データの最初の表示ページに割り当てる手書き用電力量の割当値を算出する。この処理を図４に示す。
【００４４】
図４において、ステップＳ１０１で、電源部１０８の現在の電力残量のうちの手書き用に割り当て可能な消費電力量（手書き用消費電力量の総残量）Ｐａを算出する。この総残量Ｐａは、例えば、電源部１０８の現在の電力残量を測定し、この測定された電力残量から各ページの切り替えに要する消費電力量を差し引くことで求めれば良い。
【００４５】
次に、ステップＳ１０２で、その文書データのまだ手書きされていないページ数を算出したのち、ステップＳ１０３で、総残量Ｐａを手書きされていないページ数で割ることで最初のページに対する割当値とする。
【００４６】
例えば文書データの総ページ数をＮとし、いずれのページにも未だ手書きされていない場合、第１ページを最初に表示させると、このページに対する割当量はＰａ／Ｎで算出される。
【００４７】
なお、次ページ以降のページについての割当量は、後述するステップＳ１５で算出される。
【００４８】
図３に戻って、ステップＳ２では推定値を取得する。この推定値は、表示部１１に表示された手書き未入力のページについて、手書き入力が行われた場合に使用されるものと予想される手書き量に応じた消費電力量の推定値である。
【００４９】
この実施形態では、表示部１１に表示された文書データにおける手書き入力済みの各ページで測定された手書き量に応じた消費済み電力量の平均値、中央値、最頻値のいずれかが推定値として用いられる。これらは、いずれも手書き入力済みの各ページにおける手書き量に応じた消費済み電力量の代表値であり、これから手書きされるページに対する消費電力量の推定値として好適である。以下、推定値を代表値とも記す。平均値、中央値、最頻値のいずれを用いるかは、ユーザー等によって予め設定されている。なお、平均値は各ページの手書き量に応じた消費済み電力量の測定値の合計を、手書きされたページ数で割った値であり、中央値は各ページの手書き量に応じた消費済み電力量の測定値を降順または昇順に並べたときの中央値である。測定値が偶数個の場合は中央の２つの値の合計を２で割って算出する。最頻値は測定値のうち最も多く出現した値をいう。
【００５０】
なお、手書き量に応じた消費済み電力量の測定値は、各ページ毎に外部記憶装置１０５等に記録され、代表値を算出するときはこれら保存されている測定値をロードして算出する。
【００５１】
次に、ステップＳ３で、取得した代表値がそのページについて割り当てられた手書き用消費電力量の割当値を上回っているかどうかを判断する。上回っている場合は（ステップＳ３でＹＥＳ）、ステップＳ６で、消費電力抑制制御を実施しても良いかどうかの問い合わせ画面を表示部４１１に表示し、ステップＳ７で、ユーザーが許可したかどうかを調べる。許可しなければ（ステップＳ７でＮＯ）、消費電力量の抑制制御を実施することなく、ステップＳ９に進む。許可した場合は（ステップＳ７でＹＥＳ）、ステップＳ８で、消費電力量の抑制制御として解像度低下処理を設定した後、ステップＳ９に進む。解像度低下処理とは、手書きされたデータを解像度を低下させて表示部１１に表示する処理である。
【００５２】
このように、消費電力抑制制御を実施しても良いかどうかの問い合わせ画面を表示部１１に表示するから、ユーザーの意思を確認して、消費電力抑制制御を実施することができる。
【００５３】
ステップＳ３で、代表値が割当値を上回っていない場合は（ステップＳ３でＮＯ）、ステップＳ４で解像度低下処理の実行中かどうかを判断し、実行中であれば（ステップＳ４でＹＥＳ）、ステップＳ５で解像度低下処理の解除を設定した後、ステップＳ９に進む。ステップＳ４で解像度低下処理の実行中でなければ（ステップＳ４でＮＯ）、そのままステップＳ９に進む。
【００５４】
ステップＳ９では、手書き入力装置２による手書きがなされたかどうかを判断し、なされていなければ（ステップＳ９でＮＯ）、ステップＳ１３に進む。なされていると（ステップＳ９でＹＥＳ）、ステップＳ１０では、手書き入力処理を実行する。即ち、手書きされたデータを取り込んで表示部１１に表示する。この場合、解像度低下処理が設定されている場合は、手書きされたデータを解像度を低下して表示部１１に表示する。次いで、ステップＳ１１で、手書きに伴う消費済み電力量を測定した後、ステップＳ１２に進む。
【００５５】
ステップＳ１２では、インジケータ表示処理を実行する。この処理は、消費電力量の抑制制御がなされている状態で、消費電力量の抑制制御が解除される手書き量の範囲をユーザーに認識させるための表示や、消費電力量の抑制制御がなされていない状態で、消費電力量の抑制制御が開始される手書き量の範囲をユーザーに認識させるための表示を、表示部１１に表示させる処理である。詳細については後述する。
【００５６】
次いで、ステップＳ１３で、ユーザーによりページの切り替えが指示されたかどうかを判断する。指示されていなければ（ステップＳ１３でＮＯ）、ステップＳ９に戻る。ページ切り替えが指示されていると（ステップＳ１３でＹＥＳ）、ステップＳ１４では、現在表示されているページが最終ページかどうかを調べ、最終ページであれば（ステップＳ１４でＹＥＳ）、処理を終了する。最終ページでなければ（ステップＳ１４でＮＯ）、ステップＳ１５で、次に表示部１１に表示される手書き未入力のページに対する手書き量用消費電力量の割当値を算出する。この処理については後述する。
【００５７】
次いで、ステップＳ１６で、ページ切替処理を実行した後、ステップＳ２に戻る。
【００５８】
ステップＳ１５における、次ページに対する手書き量用消費電力量の割当値算出処理を、図５を参照して説明する。
【００５９】
文書データの全ページ数をＮ、表示部１１に現在表示中のページをＣページ、次に表示されるページをＣ＋１ページ、さらに次に表示されるページをＣ＋２ページとする。また、当初は全ページとも手書きされておらず、１ページから順に表示部１１に表示していくものとする。また、現在表示中のＣページに割り当てられている手書き量用消費電力量の割当値をＰｃとし、手書きを行った時に測定された手書き量に応じた消費済み電力量をｐＷｃとすると、Ｃページについては（Ｐｃ−ｐＷｃ）の電力残量が発生している。
【００６０】
この電力残量を残りの手書き未入力ページのページ数（Ｎ−Ｃ）で割ると、各ページ当たりＰｃ１＝（Ｐｃ−ｐＷｃ）／（Ｎ−Ｃ）分の余剰電力量を割り振り可能となる。
【００６１】
そして、このＰｃ１をＣページに対する割当値ｐｃに加算して、Ｃ＋１ページについての手書き用消費電力量の割当値Ｐ（ｃ＋１）とする。
【００６２】
このＰ（ｃ＋１）が図３のフローチャートにおけるステップＳ３で、Ｃ＋１ページに対する代表値と比較されることになる。なお、図５では、Ｃ＋１ページに対する代表値をＷ（ｃ＋１）で表示している。図５の例では、Ｗ（ｃ＋１）＜Ｐ（ｃ＋１）であるから、消費電力抑制制御は実行されない。
【００６３】
次に、Ｃ＋１ページにおいて手書き入力がなされ、手書き量に応じて、割当値であるＰ（ｃ＋１）よりも大きな消費済み電力量ｐＷ（ｃ＋１）が発生したとする。従って、Ｃ＋１ページについては（ｐＷ（ｃ＋１）−Ｐ（ｃ＋１））の不足電力量が発生している。
【００６４】
この不足電力量を残りの手書き未入力ページのページ数（Ｎ−Ｃ−１）で割ると、各ページ当たりＰｃ１＝（ｐＷ（ｃ＋１）−Ｐ（ｃ＋１））／（Ｎ−Ｃ−１）分の不足電力量となる。
【００６５】
そして、このＰｃ１をＣ＋１ページに対する割当値Ｐ（ｃ＋１）から減算（−Ｐｃ１を加算）して、Ｃ＋２ページについての手書き用消費電力量の割当値Ｐ（ｃ＋２）とする。
【００６６】
ここで、Ｃ＋１ページについては手書きに伴う大きな消費済み電力量ｐＷ（ｃ＋１）が発生したため、Ｃ＋２ページについての代表値Ｗ（ｃ＋２）が、図５に示すように割当値Ｐ（ｃ＋２）を上回ってしまったとすると、Ｃ＋２ページについては消費電力抑制制御が実行されることになる。
【００６７】
このように、前のページについての手書き用消費電力量の割当値と、実際に測定された前記前のページの消費済み電力量との差を、残りの手書き未入力のページの数で割って商Ｐｃ１を求め、この商を前記前のページについての割当値に加算することにより、次のページについての手書き用消費電力量の割当値が算出されるから、この処理を１ページから順に実行していくことにより、各ページの手書き用消費電力量の割当値を、比較的簡単に算出することができる。
【００６８】
図６は、上述した図３におけるステップＳ１５の次ページに対する割当値算出処理を示すフローチャートである。
【００６９】
ステップＳ１３１では現在のページの割当値Ｐｃを求め、ステップＳ１３２では現在のページで使用した手書き量に応じた消費済み電力量ｐＷｃを求め、ステップＳ１３３で、（Ｐｃ−ｐＷｃ）によりこのページの電力残量を算出する。
【００７０】
次いで、ステップＳ１３４で、電力残量を残りの手書きしていないページ数で割ることにより、残りのページに割り振る電力Ｐｃ１を算出する。そして、ステップＳ１３５で、（Ｐｃ＋Ｐｃ１）を求め、次ページに対する割当値とする。
【００７１】
次に、図３のフローチャートにおけるステップＳ１２のインジケータ表示処理について説明する。
【００７２】
まず、割当値が代表値以上であり、消費電力量の抑制制御が行われていないときは、抑制制御が開始される手書き量の範囲、換言すれば消費電力量の残量をどれだけ残せば、次ページ以降で消費電力量の抑制制御が行われないかを、表示部１１にインジケータで表示するものとなされている。
【００７３】
具体的には、図７に示すように、表示されているページに対する手書き量が増加すると表示長さが１００％から０％へと減少する棒状のインジケータ２００が、手書き可能残量を示すものとして表示部１１に表示されるとともに、「０％になると解像度が下がります。」というメッセージが表示されている。従って、ユーザーは、インジケータ２００が０％になると消費電力量の抑制制御が行われることを認識でき、インジケータ２００が０％にならないように手書きを行うことができる。
【００７４】
図８は、代表値が割当値を上回って、消費電力量の抑制制御が行われているときに、次ページ以降で消費電力量の抑制制御が解除される手書き量の範囲、換言すれば消費電力量の残量をどれだけ残せば、次ページ以降で消費電力量の抑制制御が解除されるかを、表示部１１にインジケータで表示する例を示すものである。
【００７５】
具体的には、図８に示すように、表示されているページに対する手書き量が増加すると表示長さが１００％から０％へと減少する棒状のインジケータ２００が、手書き可能残量を示すものとして表示部１１に表示されるとともに、１００％と０％の表示の間に例えば赤色の縦線マーク２０１が表示され、かつ「赤線以上残量を残すと、次ページ以降解像度があがります。」というメッセージが表示されている。従って、ユーザーは、手書き量をマーク２０１までに抑制すると、消費電力量の抑制制御を解除できるかを認識できる。
【００７６】
消費電力量の抑制制御が解除される手書き量の範囲は、以下のようにして求めることができる。
【００７７】
即ち、現在の表示ページがＣページであるときに、次ページであるＣ＋１ページの手書き用消費電力量の割当値をＰ（ｃ＋１）、Ｃ＋１ページに対する代表値をＷ（ｃ＋１）とすると、
【００７８】
【数１】
2014191499.tif 000003
【００７９】
であれば次ページで消費電力量の抑制制御が解除される。文書データのページ数をＮ、Ｃページにおける手書き量に応じた消費電力量をｐＷｃとすると、図９に示すように、Ｐ（ｃ＋１）＝Ｐｃ＋（Ｐｃ−ｐＷｃ）／（Ｎ−Ｃ）であるから、上記（１）式は、
【００８０】
【数２】
2014191499.tif 000004
【００８１】
となる。従って、これを展開して、Ｃページの手書き量に応じた消費電力量ｐＷｃを以下の状態にすると、次ページで消費電力量の抑制制御が解除される。
【００８２】
【数３】
2014191499.tif 000005
【００８３】
図１０は、代表値が割当値を上回って、消費電力量の抑制制御が行われている場合において、現在のページに対して手書きを行わないとしても、次ページで消費電力量の抑制制御が解除されないとき、どのページで消費電力量の抑制制御が解除されるかを、表示部１１に表示する例を示すものである。
【００８４】
具体的には、図１０に示すように、表示されているページに対する手書き入力の量が多くなると表示長さが１００％から０％へと減少する棒状のインジケータ２００が表示部１１に表示されるとともに、「このページに書き込みをしないと２ページ後に解像度を復帰できます。」というメッセージが表示されている。従って、ユーザーは、手書きをしなければ２ページ後から消費電力量の抑制制御を解除できることを認識可能となる。なお、次ページにおいてもユーザーが手書きを行わないことが前提となる。この場合、次ページが表示部１１に表示された状態で、例えば「このページに書き込みをしないと次ページで解像度を復帰できます。」とのメッセージが表示される。
【００８５】
解像度を元に戻せるページ数は、（Ｗｃ−Ｐｃ）／（（Ｐｃ−ｐＷｃ）／（Ｎ−Ｃ））で求められる。
【００８６】
なお、図７、図８及び図１０で説明したインジケータ等の表示は、ページの表示を可及的に妨げないように表示部１１の上部や下部あるいは隅部等に表示されるのが望ましい。
【００８７】
図１１は、インジケータ表示処理のフローチャートである。
【００８８】
ステップＳ１２０１で、解像度が低下しているか即ち消費電力量の抑制制御中かどうかを判断し、解像度が低下していなければ（ステップＳ１２０１でＮＯ）、ステップＳ１２０５で、現在のページに対する手書き用消費電力量の割当値と手書きによる使用電力量の割合から、電力残量を算出し、表示部１１にインジケータ２００で表示する。
【００８９】
一方、解像度が低下していれば（ステップＳ１２０１でＹＥＳ）、ステップＳ１２０２で、現在のページの電力残量（Ｐｃ−ｐＷｃ）を手書きされていないページ数（Ｎ−Ｃ）で割った値Ｐｃ１を算出する。
【００９０】
次いで、ステップＳ１２０３で、現在のページの電力残量とＰｃ１を加算した値が、代表値よりも多いかどうかを調べる。多い場合（ステップＳ１２０３でＹＥＳ）、ステップＳ１２０４で、現在のページの電力をどれだけ残せば次ページで解像度が元に戻るかを画面に表示する。
【００９１】
一方、現在のページの電力残量とＰｃ１を加算した値が、代表値よりも多くない場合（ステップＳ１２０３でＮＯ）、ステップＳ１２０６で、現在の電力残量にあと何回Ｐｃ１を加算すればよいかを算出（その結果をＡとする）した後、このまま何も手書きしない場合、Ａページ後に解像度が元に戻ることを画面に表示する。
【００９２】
以上説明したように、この実施形態では、手書き量が多くなったときは代表値も大きくなるため、代表値が手書き用消費電力量の割当値を上回ることになるが、この場合は、手書きされたデータの解像度を低下させて表示させることにより、消費電力量の抑制処理が実行される。そして、このような処理が手書き未入力の各ページ毎に繰り返されるから、手書きによるメモが大量に書き込まれて途中のページで電源部１０８の電力がなくなってしまう事態を回避でき、手書き未入力の最終ページに至るまで手書き入力の可能性を確保することができる。
【００９３】
以上、本発明の一実施形態を説明したが、本発明は上記実施形態に限定されることはない。例えば、消費電力量の抑制制御として手書きされたデータの解像度を低下させる場合を示したが、代表値（Ｗｃ）が手書き用消費電力量の割当値（Ｐｃ）を上回ったときは、手書きされたデータの表示周波数（手書きデータの画面更新頻度）をＰｃ／Ｗｃに基づいて低下させることにより、解像度に影響を与えることなく消費電力量を抑制しても良い。
【００９４】
また、カラー表示が可能なときに、手書きされたデータをモノクロ表示に切り替えることにより、消費電力量を抑制しても良い。
【００９５】
また、代表値の算出をページ切り替え後に行うものとしたが、ページ切り替え前に次ページに対する代表値を算出しても良い。
【００９６】
また、次ページに対する手書き用消費電力量の割当値の算出を、ページ切り替え前に行ったが、ページ切り替え後に行っても良い。
【符号の説明】
【００９７】
１        電子ペーパー（表示装置）
２        手書き入力装置
１１      表示部
１０１    ＣＰＵ
１０２    ＲＡＭ
１０３    ＲＯＭ
１０５    外部記憶装置
１０６    操作部
１０７    電源管理部
１０８    電源部
【図１】
2014191499.tif 000006
【図２】
2014191499.tif 000007
【図３】
2014191499.tif 000008
【図４】
2014191499.tif 000009
【図５】
2014191499.tif 000010
【図６】
2014191499.tif 000011
【図７】
2014191499.tif 000012
【図８】
2014191499.tif 000013
【図９】
2014191499.tif 000014
【図１０】
2014191499.tif 000015
【図１１】
2014191499.tif 000016